(57)【要約】【課題】根太等のデッキ材を下方から支持する構造材がデッキ材長手方向の端縁に沿って配置されている場合においても、構造材を破損することなく、少なくともデッキ材の長手方向の端部を簡単に構造材に固定できるデッキ材固定金具を提供する。【解決手段】長手方向に貫通する筒状中空部52を複数備えるとともに、長手方向に連続する凹溝51が側面に設けられたデッキ材５を、このデッキ材５が下方から支持される根太６に固定するデッキ材固定金具Ａであって、根太６の側面にねじ固定される固定部１と、この固定部１１から延設されるとともに、根太６に固定部が固定された状態でデッキ材５の短手方向の壁面に沿うように配置される脚部２と、この脚部２から延設されるとともに、根太６に固定部１が固定された状態で凹溝51の根太６側の壁51aを根太６上面との間で弾性挟持する弾性挟持部３と、を備えている構造とした。【選択図】      図２
2010229796.tif 000002
【特許請求の範囲】
【請求項１】
長手方向に貫通する筒状中空部を複数備えるとともに、長手方向に連続する凹溝が側面に設けられたデッキ材を、このデッキ材が下方から支持される構造材に固定するデッキ材固定金具であって、
前記構造材の側面にねじ固定される固定部と、
この固定部から延設されるとともに、前記構造材に固定部が固定された状態でデッキ材の短手方向の壁面に沿うように配置される脚部と、
この脚部から延設されるとともに、前記構造材に固定部が固定された状態で前記凹溝の構造材側の壁を構造材上面との間で弾性挟持する弾性挟持部と、
を備えていることを特徴とするデッキ材固定金具。
【請求項２】
デッキ材の長手方向の長さと略同じか少し長い脚部を有するとともに、脚部の長手方向の両側に固定部がそれぞれ設けられている請求項１に記載のデッキ材固定金具。
【請求項３】
長手方向に貫通する筒状中空部を複数備えるとともに、長手方向に連続する凹溝が側面に設けられたデッキ材を、このデッキ材が下方から支持される構造材に固定するデッキ材固定金具であって、
前記構造材の側面にねじ固定される固定部と、
前記構造材に固定部が固定された状態でデッキ材の長手方向の端面に対面するように固定部から立ち上がる立ち上がり部と、
前記構造材に固定部が固定された状態でこの立ち上がり部から対面するようにデッキ材の長手方向に延出し、一方が凹溝内に臨み、他方がこの凹溝に隣接する筒状中空部内に臨んで、凹溝と筒状中空部との隔壁部を対向面間で弾性挟持する２つの弾性挟持部と、
を備えていることを特徴とするデッキ材固定金具。
【請求項４】
弾性挟持部が板状をしていて、２つの弾性挟持部の対向面側の先端縁が面取りされている請求項３に記載のデッキ材固定金具。
【発明の詳細な説明】
【技術分野】
【０００１】
本発明は、デッキ材固定金具に関する。
【背景技術】
【０００２】
デッキ材の構造材への固定方法として、図８に示すような方法が、既に提案されている（特許文献１参照）。
この固定方法は、図８に示すように、長手方向に貫通する筒状中空部３２０を複数備えるとともに、長手方向に連続する凹溝３１０が側面に設けられているデッキ材３００を、デッキ材３００を下方から支持する構造材としての根太２００上に所定の目地幅で並べた状態に配置するとともに、図９に示すデッキ材固定金具１００の固定部１１０をデッキ材３００とデッキ材３００との間で根太２００にビス２１０を用いて固定し、デッキ材固定金具１００の弾性挟持部１３０と、根太２００との間で凹溝３１０の根太２００側の壁３１１を弾性挟持してデッキ材３００をズレ動かないように固定するようにしている。
【０００３】
この固定方法は、デッキ材３００の上面から釘を根太２００に打ち込むまたはビスをねじ込んで固定する方式に比べ、見栄えよく施工できる。
また、壁３１１を弾性挟持しているだけであるので、大きな力を加えると、デッキ材３００を根太２００の上面に沿ってスライドさせることができる。したがって、デッキ材３００を直接根太２００に固定した場合のように、デッキ材３００が気温の変化や吸水・乾燥などが原因でデッキ材３００が伸縮しようとして、固定箇所に大きなひずみが生じてデッキ材３００の一部に割れが生じたり、デッキ材３００の一部が変形して盛り上がったりするといった問題がない。
【０００４】
ところで、デッキ材３００は、長手方向の両端を根太２００に挟着固定した方が、デッキ材３００のばたつきなどがないが、根太２００がデッキ材３００の長手方向の端縁に沿って配置されている場合、デッキ材固定金具１００を根太２００の幅方向の中央部にビス２１０で固定すると、デッキ材固定金具１００の一部がデッキ材３００の長手方向の端縁からはみ出てしまい、見栄えが悪い。また、デッキ材の端面に沿って壁などが設けられる場合には使用できない。
【０００５】
そこで、デッキ材固定金具１００がデッキ材３００の長手方向からはみ出ないようにデッキ材３００の他端方向に少しずらしてデッキ材固定金具１００をビス２１０で固定すればよいのであるが、根太２００の幅によってはデッキ材固定金具１００のビス孔１１１が根太２００からはみ出てまったく固定することができない場合がある。
また、ビス孔１１１が根太２００の上面に臨む位置にあっても、根太２００の幅方向の端縁近傍にビス２１０をねじ込むことになるので、根太２００が木材である場合、根太２００に割れが生じ、実質的に固定できないおそれがある。
【０００６】
一方、複数のデッキ材３００が敷設された床の周囲を幕板によって囲うようにしたデッキ床構造であれば、幕板に固定された幕板用金具によってばたつきを抑えることができるので問題はないが、幕板を必ず設置するとは限らない。
そこで、現在では床板端部の押え部の辺りに斜めにビスを床板に打ち込むか、上記に示した金具を半分に切断して固定を行っている。しかし、端部にビスを打ち込む方法ではビスを斜めに打ち込むので、デッキ材３００を固定するための根太２００まで届かない場合や、浅く打ち込まれるために固定する力が弱い、外観が悪くなる等の問題が起こっている。また、デッキ材固定金具１００を半分に切断して使用する場合、デッキ材固定金具１００が、高い弾性復元力を得るとともに、しっかりとした固定力を得るために強度の高い材料で形成されているので、上記のように半分に切断する作業は、危険が伴うなどの課題がある。
【先行技術文献】
【特許文献】
【０００７】
【特許文献１】特開２００４−０２７７２４号公報
【発明の概要】
【発明が解決しようとする課題】
【０００８】
本発明は、上記事情に鑑みて、根太等のデッキ材を下方から支持する構造材がデッキ材長手方向の端縁に沿って配置されている場合においても、構造材を破損することなく、少なくともデッキ材の長手方向の端部を簡単に構造材に固定できるデッキ材固定金具を提供することを目的としている。
【課題を解決するための手段】
【０００９】
上記目的を達成するために、本発明の請求項１に記載のデッキ材固定金具（以下、「本発明１のデッキ材固定金具」と記す）は、長手方向に貫通する筒状中空部を複数備えるとともに、長手方向に連続する凹溝が側面に設けられたデッキ材を、このデッキ材が下方から支持される構造材に固定するデッキ材固定金具であって、前記構造材の側面にねじ固定される固定部と、この固定部から延設されるとともに、前記構造材に固定部が固定された状態でデッキ材の短手方向の壁面に沿うように配置される脚部と、この脚部から延設されるとともに、前記構造材に固定部が固定された状態で前記凹溝の構造材側の壁を構造材上面との間で弾性挟持する弾性挟持部と、を備えていることを特徴としている。
【００１０】
上記本発明１のデッキ材固定金具は、デッキ材の長手方向の長さと略同じか少し長い脚部を有するとともに、脚部の長手方向の両側に固定部がそれぞれ設けられている構成としても構わない。
【００１１】
一方、本発明の請求項３に記載のデッキ材固定金具（以下、「本発明２のデッキ材固定金具」と記す）は、長手方向に貫通する筒状中空部を複数備えるとともに、長手方向に連続する凹溝が側面に設けられたデッキ材を、このデッキ材が下方から支持される構造材に固定するデッキ材固定金具であって、前記構造材の側面にねじ固定される固定部と、前記構造材に固定部が固定された状態でデッキ材の長手方向の端面に対面するように固定部から立ち上がる立ち上がり部と、前記構造材に固定部が固定された状態でこの立ち上がり部から対面するようにデッキ材の長手方向に延出し、一方が凹溝内に臨み、他方がこの凹溝に隣接する筒状中空部内に臨んで、凹溝と筒状中空部との隔壁部を対向面間で弾性挟持する２つの弾性挟持部と、を備えていることを特徴としている。
【００１２】
上記本発明２のデッキ材固定金具は、弾性挟持部が板状をしていて、２つの弾性挟持部の対向面側の先端縁が面取りされている構成とすることが好ましい。
【００１３】
本発明において、デッキ材固定金具の材質としては、デッキ材を安定して挟着固定できる材質であれば、特に限定されないが、ステンレス鋼、亜鉛めっき鋼等が挙げられる。
本発明において、固定部の構造材の固定は、固定部にビス孔を設け、このビス孔を介してビスを構造材にねじ込む方法が一般的であるが、釘で固定しても構わない。また、ビス孔は、１つでもよいが、固定部が回転しないように複数設けることが好ましい。
【００１４】
本発明において、デッキ材としては、特に限定されないが、ポリエチレン、ポリプロピレン、ポリエステル、ポリカーボネート、ナイロンおよびポリ塩化ビニル等の熱可塑性樹脂と木粉との混合樹脂組成物を押出成形して得た合成木材が好適である。
【００１５】
本発明において、固定部が固定される構造材は、デッキ材を下側から支持できるものであれば特に限定されないが、根太が一般的である。
上記構造材の材質は、アルミニウムなどの軽量金属、木材、合成木材などが挙げられる。
【発明の効果】
【００１６】
本発明１のデッキ材固定金具は、長手方向に貫通する筒状中空部を複数備えるとともに、長手方向に連続する凹溝が側面に設けられたデッキ材を、このデッキ材が下方から支持される構造材に固定するデッキ材固定金具であって、前記構造材の側面にねじ固定される固定部と、この固定部から延設されるとともに、前記構造材に固定部が固定された状態でデッキ材の短手方向の壁面に沿うように配置される脚部と、この脚部から延設されるとともに、前記構造材に固定部が固定された状態で前記凹溝の構造材側の壁を構造材上面との間で弾性挟持する弾性挟持部と、を備えているので、根太等のデッキ材を下方から支持する構造材がデッキ材の長手方向の端縁に沿って配置されている場合においても、構造材を破損することなく、少なくともデッキ材の長手方向の端部を簡単に構造材に固定できる。
また、デッキ材固定金具の固定部を板状にしておけば、デッキ材の長手方向の端面に沿って幕板や壁が設けられる場合においても固定部が障害にならず対応が可能となる。
【００１７】
また、本発明１のデッキ材固定金具を、デッキ材の長手方向の長さと略同じか少し長い脚部を有するとともに、脚部の長手方向の両側に固定部がそれぞれ設けられている構成とすれば、一方の固定部をデッキ材の長手方向の一端に沿うように設けられた構造材の側面に固定し、他方の固定部をデッキ材の長手方向の一端に沿うように設けられた構造材の側面に固定すれば、１つのデッキ材固定金具で、デッキ材の長手方向に直交するように設けられた複数の構造材との間で、凹溝の構造材側の壁を挟着固定でき作業性が向上する。
【００１８】
一方、本発明２のデッキ材固定金具は、長手方向に貫通する筒状中空部を複数備えるとともに、長手方向に連続する凹溝が側面に設けられたデッキ材を、このデッキ材が下方から支持される構造材に固定するデッキ材固定金具であって、前記構造材の側面にねじ固定される固定部と、前記構造材に固定部が固定された状態でデッキ材の長手方向の端面に対面するように固定部から立ち上がる立ち上がり部と、前記構造材に固定部が固定された状態でこの立ち上がり部から対面するようにデッキ材の長手方向に延出し、一方が凹溝内に臨み、他方がこの凹溝に隣接する筒状中空部内に臨んで、凹溝と筒状中空部との隔壁部を対向面間で弾性挟持する２つの弾性挟持部と、を備えているので、根太等のデッキ材を下方から支持する構造材がデッキ材長手方向の端縁に沿って配置されている場合においても、構造材を破損することなく、少なくともデッキ材の長手方向の端部を簡単に構造材に固定できる。
【００１９】
また、本発明２のデッキ材固定金具を、弾性挟持部が板状をしていて、２つの弾性挟持部の対向面側の先端縁が面取りされている構成とすれば、隔壁を弾性挟持部間に挿入する際に抵抗が少ないものとなり、作業性が向上する。
【図面の簡単な説明】
【００２０】
【図１】本発明１のデッキ材固定金具の第１の実施の形態をあらわす斜視図である。
【図２】図１のデッキ材固定金具を用いたデッキ材の根太への固定状態をデッキ材の長手方向の一方から見た図である。
【図３】本発明１のデッキ材固定金具の第２の実施の形態をあらわす斜視図である。
【図４】本発明１のデッキ材固定金具の第３の実施の形態をあらわす斜視図である。
【図５】本発明２のデッキ材固定金具の第１の実施の形態をあらわす斜視図である。
【図６】図５のデッキ材固定金具を用いたデッキ材の根太への固定状態をデッキ材の長手方向の一方から見た図である。
【図７】図６のＸ−Ｘ線断面図である。
【図８】公知のデッキ材固定金具を用いたデッキ材の根太への固定状態をデッキ材の長手方向の一方から見た図である。
【図９】図８のデッキ材固定金具の斜視図である。
【発明を実施するための形態】
【００２１】
以下に、本発明を、その実施の形態をあらわす図面を参照しつつ詳しく説明する。
図１は、本発明１のデッキ材固定金具の第１の実施の形態をあらわしている。
【００２２】
図１に示すように、このデッキ材固定金具Ａは、１ｍｍの厚みのステンレス鋼板を打ち抜いて折り曲げ加工した複数のパーツを溶接する方法あるいはプレス成形することによって形成されていて、固定部１と、脚部２と、弾性挟持部３とを備えている。
固定部１は、縦（図１で見て上下方向）が１０ｍｍ、横（図１で見て左右方向）が２０ｍｍの長方形をしていて、２つのビス孔１１が穿設されている。
【００２３】
脚部２は、固定部１の長手方向の端部から固定部１上に立ち上がる幅の狭い立ち上がり部２１と、この立ち上がり部２１に直交して設けられ、後で述べる根太４の側面に固定部１が固定された状態でデッキ材５の短手方向の端面に平行に配置される脚部本体２２とを備えている。
【００２４】
弾性挟持部３は、一端部が脚部２の上端に一体化されるとともに、折れ曲がり部が丸みを帯びた状態で他端部が鋭角に折れ曲がった形状をしている。
弾性挟持部３の下端と、固定部１の上端との高さ方向の距離は、後で述べるデッキ材５の凹溝５１の根太４側の壁５１ａに厚みと略同じか少し短くなっている。
【００２５】
また、弾性挟持部３の脚部本体２２側端縁から折れ曲がり部までの長さは、後で詳述するデッキ材５の凹溝５１の根太４側の壁５１ａの溝深さ方向の寸法より少し短くなっている。
【００２６】
つぎに、図２を用いて、このデッキ材固定金具Ａを用いたデッキ材５の固定方法を説明する。
まず、デッキ材５の長手方向の端縁に沿って配置される根太４の側面にビス４１によって固定部１の長手方向の上端縁（弾性挟持部３側）が、根太４の上端と略一致するように固定する。
【００２７】
ここで、構造材としての根太４は、アルミニウムの押出成形品であって、図示していないが、根太４と直交するように設けられた大引き（図示せず）に支持されている。
一方、デッキ材５は、ポリエチレンあるいはポリプロピレンと木粉との混合樹脂組成物を押出成形して得られ、長手方向に貫通する筒状中空部５２を複数備えるとともに、長手方向に連続する凹溝５１が側面に設けられている。
【００２８】
そして、図２に示すように、デッキ材５の凹溝５１の根太４側の壁５１ａを根太４と弾性挟持部３との隙間に挿入することによって壁５１ａのデッキ材５の長手方向の端部を弾性挟持部３の弾性復元力によって弾性挟持部３と根太４の上面との間で挟着してデッキ材５を固定する。
なお、冬場などの寒冷時に施工する場合においては、夏場にデッキ材５が伸長することを考慮して、隙間を設ける場合には、固定部１と根太４の側面との間にスペーサを配置するなどすることによってデッキ材５と固定部１との間に隙間を設けることが好ましい。
【００２９】
このデッキ材固定金具Ａは、上記のように、固定部１を根太４の側面△に固定するようになっているので、根太４がデッキ材５の長手方向の端縁に沿って配置されている場合においても、根太４を破損することなく、デッキ材５の長手方向の端部を簡単に構造材△に固定できる。
なお、デッキ材５の長手方向の寸法が短い場合は、デッキ材５をこのデッキ材固定金具Ａのみでデッキ材５を固定可能であるが、デッキ材５が長手方向に長尺であれば、デッキ材５の長手方向の中間部を、例えば、図９に示す公知のデッキ材固定金具１００のような別のデッキ材固定金具を用いて固定することが好ましい。
【００３０】
図３は、本発明１のデッキ材固定金具の第２の実施の形態をあらわしている。
図３に示すように、このデッキ材固定金具Ｂは、脚部２の立ち上がり部２３が第１の実施の形態のデッキ材固定金具Ａの立ち上がり部２１より幅広になっている以外は、上記デッキ材固定金具Ａと同様になっている。
【００３１】
このデッキ材固定金具Ｂは、上記のように、脚部２の立ち上がり部２３が第１の実施の形態のデッキ材固定金具Ａの立ち上がり部２１より幅広になっているので、同じ厚さのステンレス鋼板を用いて製造しても第１の実施の形態のデッキ材固定金具Ａより強い挟着力を得ることができるとともに、デッキ材固定金具Ｂの全体の強度も高くなる。
【００３２】
図４は、本発明１のデッキ材固定金具の第３の実施の形態をあらわしている。
図４に示すように、このデッキ材固定金具Ｃは、脚部２の脚部２及び弾性挟持部３をデッキ材５の長手方向の寸法と略同じ長さか少し長めに形成するとともに、固定部１及び立ち上がり部２３を脚部２の両側に設けた以外は、上記第２の実施の形態のデッキ材固定金具Ｂと同様になっている。
【００３３】
このデッキ材固定金具Ｃは、上記のように、脚部２の脚部２及び弾性挟持部３をデッキ材５の長手方向の寸法と略同じ長さか少し長めに形成するとともに、固定部１及び立ち上がり部２３を脚部２の両側に設けたので、長尺のデッキ材１であっても中間位置をデッキ材固定金具１００のような別のデッキ材固定金具を用いて固定するという作業が不要になり、作業工数を減らすことができる。
【００３４】
図５は、本発明２の第１の実施の形態をあらわしている。
図５に示すように、このデッキ材固定金具Ｄは、１ｍｍの厚みのステンレス鋼板を打ち抜いて折り曲げ加工した複数のパーツを溶接する方法あるいはプレス成形することによって形成されていて、固定部６と、立ち上がり部７と、２つの弾性挟持部８とを備えている。
【００３５】
固定部６は、長方形をしていて、２つのビス孔６１が穿設されている。
立ち上がり部７は、固定部６が後述するように根太４に固定された状態で、固定部６の上方に延出し、水平方向の寸法が固定部６の略半分の幅で水平方向の一方の端縁が固定部６の一方の端縁に一致している。
【００３６】
２つの弾性挟持部８は、固定部６が後述するように根太４に固定された状態で、立ち上がり部７の水平方向の端縁から対面するようにデッキ材５の長手方向に延出している。
そして、２つの弾性挟持部８の隙間は、後述する凹溝５１と凹溝５１に隣接する筒状中空部５２との隔壁部８１の厚みよりも少し狭く、例えば、隔壁部８１の厚みが４ｍｍであれば２つの弾性挟持部８の隙間は、３．９ｍｍ程度とすることが好ましい。
弾性挟持部８は、固定部６が後述するように根太４に固定された状態での垂直方向の長さが、凹溝５１の底幅と略同じになっていて、２つの弾性挟持部８の対向面側の先端縁８１が湾曲状態に面取りされている。
【００３７】
このデッキ材固定金具Ｄは、上記のようになっており、図６及び図７に示すように、一方の弾性挟持部８が凹溝５１内を臨み、他方の弾性挟持部８がこの凹溝５１に隣接する筒状中空部５２内を臨むようにデッキ材５の長手方向の一端に配置し、長手方向の他端に向かって押圧すると、弾性挟持部８が外側に広がるように弾性変形しながら、略立ち上がり部２１が隔壁５１ａに端面に当接するまで、凹溝５１及び筒状中空部５２の中に入り込む。
そして、この状態で、２つの弾性挟持部８の弾性復元力によって隔壁５１ａが２つの弾性挟持部８によってしっかりと挟持された状態で、デッキ材５に固定された状態になる。
【００３８】
つぎに、デッキ材５を根太４上に載置し、固定部６をビス４１で根太４の側面に固定することによって、デッキ材５を根太４に固定できる。
なお、必要に応じて固定を強くするために弾性狭持部８を隔壁部５３にビス留めしても構わない。
【００３９】
このデッキ材固定金具Ｄは、上記のように、固定部６を根太４の側面に固定するようになっているので、根太４がデッキ材５の長手方向の端縁に沿って配置されている場合においても、根太４を破損することなく、デッキ材５の長手方向の端部を簡単に根太４に固定できる。
しかも、固定部６を根太４に固定する前にデッキ材５に装着固定できるので、固定部６の固定位置の位置あわせをそれほど精度よく行わなくてもよく、作業性がよい。
また、２つの弾性挟持部８の対向面側の先端縁８１が湾曲状態に面取りされているので、凹溝５１内及び筒状中空部５２内に挿入が容易になる。
【００４０】
本発明のデッキ材固定金具は、上記の実施の形態に限定されない。例えば、上記の実施の形態では、デッキ材固定金具が、１つのデッキ材の幅方向の一端のみを固定するようにしていたが、１つの固定部の２つの弾性挟持構造部を設け、１つのデッキ材固定金具で隣接して配置されるデッキ材を固定できるようにしても構わない。
【符号の説明】
【００４１】
Ａ，Ｂ，Ｃ，Ｄ  デッキ材固定金具
１  固定部
２  脚部
３  弾性挟持部
４  根太（構造材）
４１  ビス
５  デッキ材
５１  凹溝
５２  筒状中空部
５３  隔壁部
６  固定部
７  立ち上がり部
８  弾性挟持部
８１  先端縁
【図１】
2010229796.tif 000003
【図２】
2010229796.tif 000004
【図３】
2010229796.tif 000005
【図４】
2010229796.tif 000006
【図５】
2010229796.tif 000007
【図６】
2010229796.tif 000008
【図７】
2010229796.tif 000009
【図８】
2010229796.tif 000010
【図９】
2010229796.tif 000011